(57)【特許請求の範囲】
【請求項１】
文字列の入力操作及び機能の起動操作を受け付ける操作部と、
前記文字列の入力操作に応じて、当該文字列を表示する表示部と、
前記表示部に文字列が表示されている場合に、前記操作部により、当該文字列を利用して検索を行う機能の起動操作を受け付けると、当該文字列を利用した検索の結果として有効な結果が得られるか否かを判定し、有効な結果が得られる場合に当該機能を起動して、当該機能に基づく画面の文字入力領域に、前記表示部に表示されている文字列を入力し、有効な結果が得られない場合に前記機能を起動しない制御部と、
を備える携帯電子機器。
【請求項２】
前記表示部に前記文字列が表示されている場合に、当該文字列を利用する複数の機能の起動操作を受け付けると、複数の機能に基づく複数の画面の文字入力領域に、前記表示部に表示されている当該文字列をそれぞれ入力する
請求項１に記載の携帯電子機器。
【請求項３】
前記操作部は、文字が割り当てられる複数の操作キーを有し、
前記制御部は、前記表示部に待受画面が表示されている状態で、前記複数の操作キーのうちいずれかの操作キーが操作されると、操作された操作キーに割り当てられた文字を入力し、前記表示部に表示させる
請求項１又は２に記載の携帯電子機器。
【請求項４】
前記複数の機能は、前記操作部による文字列の入力操作により前記表示部に当該文字列が表示された後に、前記操作部により起動操作を受け付けた機能である
請求項２又は３に記載の携帯電子機器。
【請求項５】
前記制御部は、前記複数の機能のうち、いずれかの機能に基づく画面を前記表示部に表示させ、当該画面に対応する機能が終了した後に、前記複数の機能のうち、終了した機能とは異なる他の機能に基づく画面を前記表示部に表示させる
請求項２乃至４のいずれか１項に記載の携帯電子機器。
【請求項６】
前記制御部は、前記操作部による文字列の入力操作により前記表示部に文字列が表示されている場合に、前記操作部により当該文字列を利用する前記複数の機能のうち、第１の機能の起動操作を受け付けると、当該第１の機能を起動して、当該第１の機能に基づく画面の文字入力領域に前記表示部に表示されている文字列を入力し、当該第１の機能が終了した後に、前記複数の機能のうち、前記第１の機能とは異なる第２の機能を起動して、当該第２の機能に基づく画面の文字入力領域に前記表示部に表示されている文字列を入力する
請求項２乃至４のいずれか１項に記載の携帯電子機器。
【請求項７】
前記制御部は、前記第１の機能が終了した後に、前記操作部を介して、前記第２の機能の起動操作を受け付けたことに応じて、当該第２の機能を起動させ、当該第２の機能に基づく画面の文字入力領域に前記表示部に表示されている文字列を入力する
請求項６に記載の携帯電子機器。
【請求項８】
文字列の入力操作及び機能の起動操作を受け付ける操作部と、
前記文字列の入力操作に応じて、当該文字列を表示する表示部と、
前記表示部に文字列が表示されている場合に、前記操作部により当該文字列を利用する機能の起動操作を受け付けると、当該機能に、前記表示部に表示されている文字列が対応可能か否かを判定し、対応可能である場合に当該機能を起動して、当該機能に基づく画面の文字入力領域に、前記表示部に表示されている文字列を入力し、対応可能でない場合に前記機能を起動しない制御部と、
を備える携帯電子機器。
【請求項９】
携帯電子機器の機能起動方法であって、
文字列の入力操作及び機能の起動操作を受け付けるステップと、
前記文字列の入力操作に応じて、当該文字列を表示するステップと、
前記表示するステップによって表示部に文字列が表示されている場合に、当該文字列を利用して検索を行う機能の起動操作を受け付けると、当該文字列を利用した検索の結果として有効な結果が得られるか否かを判定し、有効な結果が得られる場合に当該機能を起動して、当該機能に基づく画面の文字入力領域に、前記表示部に表示されている文字列を入力し、有効な結果が得られない場合に前記機能を起動しないステップと、
を含む携帯電子機器の機能起動方法。
【発明の詳細な説明】
【技術分野】
【０００１】
本発明は、携帯電子機器及び携帯電子機器の機能起動方法に関する。
【背景技術】
【０００２】
近年、携帯電話機等の携帯電子機器は、利便性の向上を目的として、電話機能だけではなく、メールや、ショートメールや、ブラウザといったアプリケーション（機能）を複数備えている。
【０００３】
これら複数のアプリケーションの中には、文字列の入力を受け付けて、入力された文字列に応じて機能するものがある。そして、従来の携帯電子機器において、ユーザは、文字列の入力を受け付けるアプリケーションを実行する際には、表示部に待受画面が表示された状態から、携帯電子機器の操作部を介してメニュー画面を表示させ、このメニュー画面から所望のアプリケーションを起動し、その後、起動されたアプリケーションに対して、文字列を入力していた。このように、従来の携帯電子機器では、文字列の入力を受け付けるアプリケーションを実行する際に、複数の手順を要するため、操作が煩雑となっていた。
【０００４】
このような問題に対して、例えば、特許文献１では、以下のような携帯電子機器が提案されている。すなわち、特許文献１の携帯電子機器は、この携帯電子機器の表示部に待受画面が表示された状態において、携帯電子機器の操作部のテンキーが操作されたことに応じて、このテンキーに割り当てられている文字を表示部に表示する。そして、特許文献１の携帯電子機器は、この状態において、表示部にアプリケーションの一覧を表示し、操作部を介して、この一覧から一のアプリケーションの選択を受け付ける。そして、特許文献１の携帯電子機器は、一のアプリケーションが選択されたことに応じて、選択されたアプリケーションを起動し、表示部に表示されている文字を、起動されたアプリケーションに入力する。
【先行技術文献】
【特許文献】
【０００５】
【特許文献１】特開２００７−２００２４３号公報
【発明の概要】
【発明が解決しようとする課題】
【０００６】
ところで、特許文献１の携帯電子機器では、表示部にアプリケーションの一覧を表示し、この一覧から一のアプリケーションの選択を受け付ける。よって、表示部に表示されている文字列を複数のアプリケーションに利用したい場合には、ユーザは、起動されたアプリケーションを終了させた後に、再度、文字列を入力してアプリケーションを起動させる必要がある。また、表示部に表示されている文字列を一のアプリケーションに複数回利用したい場合には、ユーザは、起動されたアプリケーションを終了した後に、再度、文字列を入力して同一のアプリケーションを起動させる必要がある。すなわち、特許文献１の携帯電子機器では、表示部に表示されている文字列を一度の操作で複数の機能に利用したり、同一の機能に複数利用したりすることができず、操作が煩雑となっていた。
【０００７】
本発明は、表示部に表示されている文字列を複数の機能又は同一の機能に複数利用することができる携帯電子機器及び携帯電子機器の機能起動方法を提供することを目的とする。
【課題を解決するための手段】
【０００８】
本発明に係る携帯電子機器は、文字列の入力操作及び機能の起動操作を受け付ける操作部と、前記文字列の入力操作に応じて、当該文字列を表示する表示部と、前記表示部に文字列が表示されている場合に、前記操作部により、当該文字列を利用して検索を行う機能の起動操作を受け付けると、当該文字列を利用した検索の結果として有効な結果が得られるか否かを判定し、有効な結果が得られる場合に当該機能を起動して、当該機能に基づく画面の文字入力領域に、前記表示部に表示されている文字列を入力し、有効な結果が得られない場合に前記機能を起動しない制御部と、を備える。
【０００９】
また、前記表示部に前記文字列が表示されている場合に、当該文字列を利用する複数の機能の起動操作を受け付けると、複数の機能に基づく複数の画面の文字入力領域に、前記表示部に表示されている当該文字列をそれぞれ入力することが好ましい。
【００１０】
また、前記操作部は、文字が割り当てられる複数の操作キーを有し、前記制御部は、前記表示部に待受画面が表示されている状態で、前記複数の操作キーのうちいずれかの操作キーが操作されると、操作された操作キーに割り当てられた文字を入力し、前記表示部に表示させることが好ましい。
【００１１】
また、前記複数の機能は、前記操作部による文字列の入力操作により前記表示部に当該文字列が表示された後に、前記操作部により起動操作を受け付けた機能であることが好ましい。
【００１２】
また、前記制御部は、前記複数の機能のうち、いずれかの機能に基づく画面を前記表示部に表示させ、当該画面に対応する機能が終了した後に、前記複数の機能のうち、終了した機能とは異なる他の機能に基づく画面を前記表示部に表示させることが好ましい。
【００１３】
また、前記制御部は、前記操作部による文字列の入力操作により前記表示部に文字列が表示されている場合に、前記操作部により当該文字列を利用する前記複数の機能のうち、第１の機能の起動操作を受け付けると、当該第１の機能を起動して、当該第１の機能に基づく画面の文字入力領域に前記表示部に表示されている文字列を入力し、当該第１の機能が終了した後に、前記複数の機能のうち、前記第１の機能とは異なる第２の機能を起動して、当該第２の機能に基づく画面の文字入力領域に前記表示部に表示されている文字列を入力することが好ましい。
【００１４】
また、前記制御部は、前記第１の機能が終了した後に、前記操作部を介して、前記第２の機能の起動操作を受け付けたことに応じて、当該第２の機能を起動させ、当該第２の機能に基づく画面の文字入力領域に前記表示部に表示されている文字列を入力することが好ましい。
【００１５】
また、本発明に係る携帯電子機器は、文字列の入力操作及び機能の起動操作を受け付ける操作部と、前記文字列の入力操作に応じて、当該文字列を表示する表示部と、前記表示部に文字列が表示されている場合に、前記操作部により当該文字列を利用する機能の起動操作を受け付けると、当該機能に、前記表示部に表示されている文字列が対応可能か否かを判定し、対応可能である場合に当該機能を起動して、当該機能に基づく画面の文字入力領域に、前記表示部に表示されている文字列を入力し、対応可能でない場合に前記機能を起動しない制御部と、を備える。
【００１６】
また、携帯電子機器の機能起動方法であって、携帯電子機器の機能起動方法であって、文字列の入力操作及び機能の起動操作を受け付けるステップと、前記文字列の入力操作に応じて、当該文字列を表示するステップと、前記表示するステップによって表示部に文字列が表示されている場合に、当該文字列を利用して検索を行う機能の起動操作を受け付けると、当該文字列を利用した検索の結果として有効な結果が得られるか否かを判定し、有効な結果が得られる場合に当該機能を起動して、当該機能に基づく画面の文字入力領域に、前記表示部に表示されている文字列を入力し、有効な結果が得られない場合に前記機能を起動しないステップと、を含む。
【発明の効果】
【００１７】
本発明によれば、表示部に表示されている文字列を複数の機能又は同一の機能に複数利用することができる。
【図面の簡単な説明】
【００１８】
【図１】本実施形態に係る携帯電子機器の一例である携帯電話装置の外観斜視図である。
【図２】本実施形態に係る携帯電話装置の機能を示す機能ブロック図である。
【図３】本実施形態に係る待受画面がＬＣＤ表示部に表示されている状態において、入力操作キーの数字キーが押下された場合のＬＣＤ表示部の状態を示す図である。
【図４】本実施形態に係る文字入力確定画面を示す図である。
【図５】本実施形態に係るＬＣＤ表示部に文字列が表示されている場合に、第１のアプリケーションが起動された状態を示す図である。
【図６】本実施形態に係る第１のアプリケーションの終了後に第２のアプリケーションが起動された状態を示す図である。
【図７】本実施形態に係るアプリケーション一覧画面を示す図である。
【図８】本実施形態に係る携帯電話装置によるアプリケーション起動の処理の流れを示すフローチャートである。
【発明を実施するための形態】
【００１９】
以下、本発明の実施の形態について説明する。図１は、本実施形態に係る携帯電子機器の一例である携帯電話装置１の外観斜視図である。図１では、いわゆる折り畳み型の携帯電話装置の形態を示しているが、本発明に係る携帯電話装置の形態としては特にこれに限定されない。例えば、両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００２０】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００２１】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、通話の相手側の音声を出力するスピーカ２２と、を備えて構成されている。
【００２２】
入力操作キー１４は、図１に示すように、数字の「１」，「２」，「３」，「４」，「５」，「６」，「７」，「８」，「９」及び「０」等が印刷されたキーである数字キーを複数有している。これら数字キーに対して入力操作が行われたことに応じて、キーと数字の対応関係が示されているキーアサインテーブルを後述の制御部６０が参照することにより、ＬＣＤ表示部２１は、これら印刷されている数字を表示することが可能である。
【００２３】
また、これら数字キーのそれぞれには、上述した数字の他に、「あ」、「か」、「さ」、「た」、「な」、「は」、「ま」、「や」、「ら」及び「わをん」等の文字が併せて印刷されている。例えば、「あ」と「１」が印刷されている数字キーに対して入力操作が行われたことに応じて、キーと平仮名の対応関係が示されているキーアサインテーブルを後述の制御部６０が参照することにより、ＬＣＤ表示部２１は、これら印刷されている文字や、印刷されている文字に関連した文字を表示することも可能である。
【００２４】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２５】
図２は、本実施形態に係る携帯電話装置１の機能を示す機能ブロック図である。携帯電話装置１は、図２に示すように、例えば、操作部１１と、マイク１２と、通信部４１と、ＬＣＤ制御部４２と、音声処理部４３と、記憶部５０と、制御部６０と、が操作部側筐体部２に備えられ、ＬＣＤ表示部２１（表示部）と、スピーカ２２と、ＬＣＤドライバ２３と、が表示部側筐体部３に備えられている。
【００２６】
通信部４１は、メインアンテナ４１１と、ＲＦ回路部４１２と、を備える。
メインアンテナ４１１は、第１の使用周波数帯（例えば、８００ＭＨｚ）で基地局等と通信を行い、第２の使用周波数帯（例えば、１．５ＧＨｚ）でＧＰＳ通信を行うデュアルバンド対応構成である。なお、本実施形態では、第１の使用周波数帯を８００ＭＨｚとしたが、これ以外の周波数帯であってもよい。また、メインアンテナ４１１は、第１の使用周波数帯で外部装置と通信を行い、ＧＰＳ通信のための第２の使用周波数帯に対応できるアンテナを別途設けてもよい。
【００２７】
ＲＦ回路部４１２は、メインアンテナ４１１によって受信した信号を復調処理し、処理後の信号を制御部６０に供給する。また、ＲＦ回路部４１２は、制御部６０から供給された信号を変調処理し、メインアンテナ４１１を介して外部装置（基地局）に送信する。また、その一方で、ＲＦ回路部４１２は、メインアンテナ４１１によって受信する信号の強度を制御部６０に通知する。
【００２８】
ＬＣＤ制御部４２は、制御部６０の制御にしたがって、所定の画像処理を行い、処理後の画像データをＬＣＤドライバ２３に出力する。ＬＣＤドライバ２３は、フレームメモリを備えており、ＬＣＤ制御部４２から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２９】
音声処理部４３は、制御部６０の制御にしたがって、ＲＦ回路部４１２から供給された信号に対して所定の音声処理を行い、処理後の信号をスピーカ２２に出力する。スピーカ２２は、音声処理部４３から供給された信号を外部に出力する。
また、音声処理部４３は、制御部６０の制御にしたがって、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００３０】
記憶部５０は、例えば、ワーキングメモリを含み、制御部６０による演算処理に利用される。また、記憶部５０は、文字等（数字又は文字）とキーの対応関係を示すキーアサインテーブルを記憶するとともに、メールや、ショートメールや、ブラウザといった機能を有するアプリケーションを複数記憶する。なお、記憶部５０は、着脱可能な外部メモリを兼ねていてもよい。
【００３１】
制御部６０は、携帯電話装置１の全体を制御しており、中央処理装置（ＣＰＵ）等を用いて構成される。この制御部６０は、操作部１１を構成する各キー（機能設定操作キー１３、入力操作キー１４、決定操作キー１５）により、機能としてのアプリケーションの起動操作を受け付けたことに応じて、アプリケーションを起動する制御を行う。また、制御部６０は、原則的に、アクティブに起動されているアプリケーションに応じて、操作部１１を構成する各キーに割り当てる文字や記号や機能を変化させる制御を行っている。また、制御部６０は、起動されているアプリケーションに応じて、参照するキーアサインテーブルを切り換え、操作部１１（入力操作キー１４）の数字キーが操作されたことに応じて、所定のキーアサインテーブルを参照して、処理を実行する。以下に、制御部６０の詳細な説明を行う。
【００３２】
制御部６０は、待受画面がＬＣＤ表示部２１に表示されている状態（通信の待ち受け状態）において、操作部１１（入力操作キー１４）の複数の数字キーのうちいずれかの数字キーが操作されると、操作された数字キーに割り当てられた文字の入力を受け付け、受け付けた文字を所定の領域に入力し、ＬＣＤ表示部２１に表示させる。具体的には、制御部６０は、操作部１１の複数の数字キーのうちいずれかの数字キーが操作された場合に、当該数字キーに割り当てられている文字等（数字や文字等）のそれぞれを、例えば、ＬＣＤ表示部２１の別々の画面領域に並列的に表示する。なお、制御部６０は、いずれかの数字キーが操作された場合に、当該数字キーに割り当てられている文字のみをＬＣＤ表示部２１に表示するようにしてもよい。ここで、待受画面がＬＣＤ表示部２１に表示されている状態とは、携帯電話装置１の主電源が投入され、通信部４１の通信セッションの確立処理が終了し、通信の待ち受けや、記憶部５０に記憶されているアプリケーション等の起動が可能な状態をいう。
【００３３】
図を参照して、操作部１１によるキー操作に応じた制御部６０の制御動作について説明する。図３は、本実施形態に係る待受画面がＬＣＤ表示部２１に表示されている状態において、入力操作キー１４の数字キーが押下された場合のＬＣＤ表示部２１の状態を示す図である。
【００３４】
例えば、制御部６０は、待受画面がＬＣＤ表示部２１に表示されている状態において、入力操作キー１４の数字キーが押下されると、第１表示領域１１０に平仮名と、この平仮名の予測候補を表示するとともに、第２表示領域１２０に数字を表示する。図３は、入力操作キー１４の数字キーが、「１」，「３」，「３」，「４」の順に押下された場合のＬＣＤ表示部２１の状態を示している。すなわち、図３では、第１表示領域１１０に、「１」，「３」，「３」，「４」に対応する文字列「あした」と、この文字列「あした」に対する変換候補が表示されていることが確認できる。また、図３では、第２表示領域１２０に、数字列「１３３４」が表示されていることが確認できる。
【００３５】
ＬＣＤ表示部２１の第１表示領域１１０及び第２表示領域１２０に文字列が表示されている状態で、第１表示領域１１０に表示されている文字列の入力に対応する操作部１１の決定操作キー１５が操作されると、文字入力確定画面に遷移する。
【００３６】
図４は、本実施形態に係る文字入力確定画面を示す図である。具体的には、図４は、図３に示される状態から、第１表示領域１１０に表示されている文字列「あした」の候補が「明日」に確定された後に、入力操作キー１４の数字キーが、「６」，「６」，「７」の順に押下されて、文字列「ひま」がさらに表示され、この文字列「ひま」の候補が「暇？」に確定された状態において、操作部１１の決定操作キー１５が操作された場合の状態を示している。
【００３７】
図４では、第１表示領域１１０が拡張され、「明日暇？」という文字列が表示されていることが確認できる。また、図４では、第１表示領域１１０の下に、入力する文字の種類を切り換える文字種ボタン１１１と、文字の入力を確定するＯＫボタン１１２と、第１表示領域１１０に表示されている文字列（「明日暇？」）を使用するアプリケーションの選択を受け付けるためのアプリケーション一覧画面を表示させるサブメニューボタン１１３とが表示されていることが確認できる。
【００３８】
また、図４では、第１表示領域１１０の下端に、起動パターンを示す文字列として、「１  田中さんに電子メール送信」と「２  佐藤さんにショートメール送信」とが表示されていることが確認できる。本実施形態では、入力操作キー１４の数字キー「１」が長押し（例えば、１秒以上押下）されると、制御部６０は、電子メールに係るアプリケーションを起動する。また、入力操作キー１４の数字キー「２」が長押し（例えば、１秒以上押下）されると、制御部６０は、ショートメールに係るアプリケーションを起動する。なお、この起動パターンは、予めユーザにより設定することが可能であり、記憶部５０に記憶されている。
【００３９】
また、制御部６０は、第１表示領域１１０の下のサブメニューボタン１１３が押下されると、第１表示領域１１０に表示されている文字列（「明日暇？」）を使用するアプリケーションの選択を１又は複数受け付けるためのアプリケーション一覧画面を表示させて、選択された１又は複数のアプリケーションを起動してもよい。
【００４０】
すなわち、制御部６０は、図４に示されるように、ＬＣＤ表示部２１に文字列が表示されている場合に、操作部１１により当該文字列を利用するアプリケーションの起動操作を受け付けると、指定された複数のアプリケーションを起動し、当該複数のアプリケーションに基づく複数の画面の文字入力領域に、ＬＣＤ表示部２１に表示されている文字列をそれぞれ入力する。
【００４１】
具体的には、制御部６０は、操作部１１による文字列の入力操作により、ＬＣＤ表示部２１に当該文字列が表示されている場合に、操作部１１により当該文字列を利用するアプリケーションの起動操作を受け付けると、指定された複数のアプリケーションを起動し、これら複数のアプリケーションのうち、いずれかのアプリケーションに対応する画面をＬＣＤ表示部２１に表示させ、当該画面に対応するアプリケーションが終了した後に、これら複数のアプリケーションのうち、終了したアプリケーションとは異なる他のアプリケーションに対応する画面をＬＣＤ表示部２１に表示させる。
【００４２】
ここで、複数のアプリケーションは、操作部１１による文字列の入力操作により、ＬＣＤ表示部２１に文字列が表示された後に、操作部１１により起動操作を受け付けたアプリケーションである。具体的には、複数のアプリケーションは、操作部１１による文字列の入力操作により、ＬＣＤ表示部２１に文字列が表示された状態で、ユーザが所望のアプリケーションを選択することにより起動操作を受け付けられたアプリケーションである。
【００４３】
例えば、制御部６０は、操作部１１による文字列の入力操作により、ＬＣＤ表示部２１に文字列が表示されている場合に、操作部１１により、当該文字列を利用する複数のアプリケーションのうち、第１のアプリケーションの起動操作を受け付けると、当該第１のアプリケーションを起動して、当該第１のアプリケーションに対応する画面の文字入力領域にＬＣＤ表示部２１に表示されている文字列を入力して、第１のアプリケーションの文字入力領域に文字列が入力された状態に対応する画面をＬＣＤ表示部２１に表示させる。そして、制御部６０は、当該第１のアプリケーションが終了した後に、複数のアプリケーションのうち、第１のアプリケーションとは異なる第２のアプリケーションを起動して、当該第２のアプリケーションに対応する画面の文字入力領域にＬＣＤ表示部２１に表示されている文字列を入力して、第２のアプリケーションの文字入力領域に文字列が入力された状態に対応する画面をＬＣＤ表示部２１に表示させる。
【００４４】
上述の処理について、図４〜図６を参照しながら説明する。
図５は、本実施形態に係るＬＣＤ表示部２１に文字列が表示されている場合に、第１のアプリケーションが起動された状態を示す図である。図５では、電子メールに係るアプリケーションの表示画面として、アドレス入力領域１３１と、文字入力領域としての本文入力領域１３２と、送信ボタン１３３と、選択ボタン１３４と、サブメニューボタン１３５と、が示されている。
【００４５】
例えば、図４に示されているように、第１表示領域１１０に、文字列「明日暇？」が表示されている場合に、入力操作キー１４の数字キー「１」を長押しした後に、数字キー「２」を長押しすると、制御部６０は、第１のアプリケーションとして、電子メールに係るアプリケーションを起動し、図５に示すように、ＬＣＤ表示部２１の第１表示領域１１０に表示されている文字列「明日暇？」を、この電子メールに対応する画面の本文入力領域１３２に、操作部１１による操作を介することなく、自動的に入力する。また、制御部６０は、起動パターンを示す文字列としての「１  田中さんに電子メール送信」に対応して、この電子メールのアドレス入力領域１３１に、「田中さん」のメールアドレスを入力する。
【００４６】
図５に示す状態において、例えば、送信ボタン１３３に対応する操作部１１が操作されると、制御部６０は、通信部４１を介して、電子メールを送信するとともに、この電子メールに係るアプリケーションを終了させる。続いて、制御部６０は、起動パターンを表示する文字列としての「２  佐藤さんにショートメール送信」に対応して、第２のアプリケーションとして、ショートメールに係るアプリケーションを起動し、ＬＣＤ表示部２１に表示されている文字列「明日暇？」を、このショートメールに対応する画面の文字入力領域に、自動的に入力する。
【００４７】
図６は、本実施形態に係るＬＣＤ表示部２１に文字列が表示されている場合に、第２のアプリケーションが起動された状態を示す図である。図６では、ショートメールに係るアプリケーションの表示画面として、電子メールの画面と同様に、アドレス入力領域１３１と、文字入力領域としての本文入力領域１３２と、送信ボタン１３３と、選択ボタン１３４と、サブメニューボタン１３５と、が示されている。また、図６では、アドレス入力領域１３１に、「佐藤さん」の連絡先（電話番号）が入力され、本文入力領域１３２に、ＬＣＤ表示部２１の第１表示領域１１０に表示されている文字列「明日暇？」が入力されていることが確認できる。
【００４８】
なお、制御部６０は、第１表示領域１１０に、文字列「明日暇？」が表示されている場合に、操作部１１の入力操作キー１４の数字キー「２」を長押しした後に、数字キー「１」を長押しすると、制御部６０は、第１のアプリケーションとして、ショートメールに係るアプリケーションを起動して、ＬＣＤ表示部２１の第１表示領域１１０に表示されている文字列「明日暇？」を、このショートメールに係るアプリケーションに対応する画面の文字入力領域に、自動的に入力する。また、制御部６０は、このショートメールのアプリケーションが終了した後に、第２のアプリケーションとして、電子メールに係るアプリケーションを起動して、ＬＣＤ表示部２１の第１表示領域１１０に表示されている文字列「明日暇？」を、この電子メールのアプリケーションに対応する画面の文字入力領域に、自動的に入力する。
【００４９】
なお、本実施形態では、制御部６０は、ＬＣＤ表示部２１に文字列が表示されている場合に、操作部１１により当該文字列を利用するアプリケーションの起動操作を受け付けると、指定された複数のアプリケーションを起動し、当該複数のアプリケーションに対応する画面の文字入力領域にＬＣＤ表示部２１に表示されている文字列をそれぞれ入力することとしたが、これに限らない。
【００５０】
例えば、制御部６０は、ＬＣＤ表示部２１に文字列が表示されている場合に、操作部１１により当該文字列を利用するアプリケーションの起動操作を受け付けると、指定された一のアプリケーションを複数起動し、起動された一のアプリケーションに対応する複数の異なる画面の文字入力領域に、ＬＣＤ表示部２１に表示されている文字列をそれぞれ入力することとしてもよい。
【００５１】
例えば、制御部６０は、ＬＣＤ表示部２１の第１表示領域１１０に文字列が表示されている場合に、操作部１１により当該文字列を利用するアプリケーションとして、電子メールに係るアプリケーションの起動操作を受け付けると、この電子メールに係るアプリケーションを複数起動する。つまり、制御部６０は、電子メールに係るアプリケーションの画面を複数起動し、この複数の画面のいずれか一の画面をＬＣＤ表示部２１に表示させる。続いて、制御部６０は、複数の画面それぞれにおける文字入力領域に対して、ＬＣＤ表示部２１の第１表示領域１１０に表示されている文字列を自動的に入力する。
【００５２】
また、制御部６０は、第１のアプリケーションが終了した後に、操作部１１を介して、第２のアプリケーションの起動操作を受け付けたことに応じて、当該第２のアプリケーションを起動させ、当該第２のアプリケーションに対応する画面の文字入力領域に、ＬＣＤ表示部２１に表示されている文字列を入力する。
【００５３】
また、制御部６０は、ＬＣＤ表示部２１に文字列が表示されている場合に、操作部１１により文字列を利用するアプリケーションの起動操作を受け付けると、当該アプリケーションに対応する画面に、ＬＣＤ表示部２１に表示されている文字列が対応可能か否かを判定し、対応可能である場合に当該アプリケーションを起動して、当該アプリケーションに対応する画面の文字入力領域にＬＣＤ表示部２１に表示されている文字列を入力し、入力可能でない場合に、アプリケーションを起動しないように制御する。
【００５４】
上述の処理について、図４及び図７を参照しながら説明する。
図４に示されているように、第１表示領域１１０に、文字列「明日暇？」が表示されている場合に、操作部１１を介して、サブメニューボタン１１３に対応するボタンが操作されると、制御部６０は、ＬＣＤ表示部２１に、アプリケーション一覧画面１５０を表示させる。
【００５５】
図７は、本実施形態に係るアプリケーション一覧画面１５０を示す図である。図７では、第１表示領域１１０に表示されている文字列（「明日暇？」）を使用するアプリケーションの候補として、１０個の候補が表示されていることが確認できる。ここで、アプリケーション一覧画面１５０に示されている、第１表示領域１１０に表示されている文字列を使用するアプリケーションの候補は、ユーザにより設定可能である。
例えば、操作部１１を介して、「［１０］インターネット検索＋地図検索」が選択されると、制御部６０は、以下の処理を行う。
【００５６】
すなわち、制御部６０は、ＬＣＤ表示部２１の第１表示領域１１０に文字列が表示されている場合に、アプリケーション一覧画面１５０を介して、操作部１１により文字列を利用する第１のアプリケーションとしてのインターネット検索に係るアプリケーションと、第２のアプリケーションとしての地図検索に係るアプリケーションと、の起動操作を受け付けると、これらのアプリケーションに対応する画面に、ＬＣＤ表示部２１の第１表示領域１１０に表示されている文字列が対応可能か否かを判定する。
【００５７】
例えば、地図検索に係るアプリケーションに対して、第１表示領域１１０に表示されている文字列（「明日暇？」）を入力した場合に、地図検索の結果として有効な結果を得ることはできない。このように、アプリケーションに文字列が入力可能であったとしても、所望の結果を得られない場合についても、制御部６０は、地図に係るアプリケーションにＬＣＤ表示部２１の第１表示領域１１０の文字列が対応可能ではないと判定する。すなわち、制御部６０は、第１表示領域１１０に表示されている文字列を解析して、第１表示領域１１０に表示されている文字列が、アプリケーションに対して適した文字列であるか否かも含めて、アプリケーションの文字入力領域に文字列が対応可能か否かを判定する。
【００５８】
続いて、制御部６０は、インターネットに係るアプリケーションを起動する。続いて、制御部６０は、インターネットに係るアプリケーションの画面をＬＣＤ表示部２１に表示させるとともに、この画面に表示される文字入力領域に、ＬＣＤ表示部２１の第１表示領域１１０に表示されている文字列を入力する。
【００５９】
続いて、制御部６０は、地図検索に係るアプリケーションの文字入力領域に、ＬＣＤ表示部２１の第１表示領域１１０の文字列が対応可能ではないと判定していることから、インターネット検索に係るアプリケーションが終了した後に、地図検索に係るアプリケーションを起動させないように制御し、処理を終了させる。
【００６０】
なお、制御部６０は、地図検索に係るアプリケーションにＬＣＤ表示部２１の第１表示領域１１０の文字列が対応可能であると判定した場合には、地図検索に係るアプリケーションを起動させるか否かの確認画面を表示させて、操作部１１を介して、地図検索に係るアプリケーションを起動させるか否かの決定を受け付ける。続いて、制御部６０は、地図検索に係るアプリケーションの起動が決定されたことに応じて、地図検索に係るアプリケーションを起動する。続いて、制御部６０は、地図検索に係るアプリケーションの画面をＬＣＤ表示部２１に表示させるとともに、この画面に表示される文字入力領域に、ＬＣＤ表示部２１の第１表示領域１１０に表示されている文字列を入力する。
【００６１】
なお、本実施形態では、制御部６０は、アプリケーション一覧画面１５０において、「［１０］インターネット検索＋地図検索」が選択された場合に、第１のアプリケーションとしてのインターネット検索に係るアプリケーションと、第２のアプリケーションとしての地図検索に係るアプリケーションと、の起動を行うこととしたが、これに限らない。
【００６２】
例えば、制御部６０は、アプリケーション一覧画面１５０において、［３］乗換検索が選択された場合に、乗換検索に係るアプリケーションを起動し、このアプリケーションに対応する画面の文字入力領域にＬＣＤ表示部２１の第１表示領域１１０に表示されている文字列を入力し、このアプリケーションの終了後に、ユーザにより、乗換検索と併せて使用される頻度が高いアプリケーション（例えば、地図検索に係るアプリケーション）を起動させるか否かの確認画面を表示させて、操作部１１を介して、このアプリケーションを起動させるか否かの決定を受け付けるようにしてもよい。この場合、記憶部５０に対して、複数のアプリケーションについて、併せて使用される頻度が記憶されており、制御部６０は、この頻度が高い複数のアプリケーションのいずれかが起動され、終了した後に、他のアプリケーションを起動する。
【００６３】
また、制御部６０は、アプリケーション一覧画面１５０において、操作部１１（入力操作キー１４）の操作により、［２］キーワード検索、［４］地図検索を選択するように、起動させるアプリケーションの選択を一度に受け付け、これら複数の選択されたアプリケーションを起動するようにしてもよい。
【００６４】
続いて、携帯電話装置１のアプリケーション起動に係る処理の流れについて説明する。図８は、本実施形態に係る携帯電話装置１によるアプリケーション起動の処理の流れを示すフローチャートである。
【００６５】
ステップＳ１において、制御部６０は、ＬＣＤ表示部２１に待受画面が表示された状態において、操作部１１（入力操作キー１４）を介して文字列の入力を受け付ける。
ステップＳ２において、制御部６０は、操作部１１（入力操作キー１４）による文字列入力操作に応じた文字列を、ＬＣＤ制御部４２を介して、ＬＣＤ表示部２１に表示する。
【００６６】
ステップＳ３において、制御部６０は、ＬＣＤ表示部２１に文字列が表示されている場合に、操作部１１による、文字列を利用するアプリケーション（第１のアプリケーション及び第２のアプリケーション）の起動操作が行われたか否かを判定する。制御部６０は、この判定がＹＥＳの場合に、処理をステップＳ４に移し、この判定がＮＯの場合に、処理をステップＳ１に移す。
【００６７】
ステップＳ４において、制御部６０は、第１のアプリケーションを起動する。
ステップＳ５において、制御部６０は、ステップＳ１において入力が受け付けられ、ステップＳ２においてＬＣＤ表示部２１に表示された文字列を、第１のアプリケーションに対応する画面の文字入力領域に自動的に入力する。
ステップＳ６において、制御部６０は、操作部１１による第１のアプリケーションに係る操作を受け付ける。
【００６８】
ステップＳ７において、制御部６０は、第１のアプリケーションが終了したか否かを判定する。制御部６０は、この判定がＹＥＳの場合に、処理をステップＳ８に移し、この判定がＮＯの場合に、処理をステップＳ６に移す。
【００６９】
ステップＳ８において、制御部６０は、第２のアプリケーションを起動する。
ステップＳ９において、制御部６０は、ステップＳ１において入力が受け付けられ、ステップＳ２においてＬＣＤ表示部２１に表示された文字列を、第２のアプリケーションに対応する画面の文字入力領域に自動的に入力する。
【００７０】
以上のように、本実施形態の携帯電話装置１の制御部６０は、ＬＣＤ表示部２１に文字列が表示されている場合に、操作部１１により当該文字列を利用するアプリケーションの起動操作を受け付けると、指定された複数のアプリケーションを起動し、当該複数のアプリケーションに対応する画面の文字入力領域に、ＬＣＤ表示部２１に表示されている文字列をそれぞれ入力する。
よって、携帯電話装置１は、複数のアプリケーションの起動時に、ＬＣＤ表示部２１に表示されている文字列を、これら複数のアプリケーションに対応する画面の文字入力領域にそれぞれ利用することができる。
【００７１】
また、制御部６０は、待受画面がＬＣＤ表示部２１に表示されている状態において、操作部１１（入力操作キー１４）の複数の数字キーのうちいずれかの数字キーが操作されると、操作された数字キーに割り当てられた文字の入力を受け付け、ＬＣＤ表示部２１に表示させる。
よって、携帯電話装置１は、特定のアプリケーションが起動されていない待受画面において入力された文字列を複数のアプリケーションに利用することができる。
【００７２】
また、複数のアプリケーションは、操作部１１による文字列の入力操作によりＬＣＤ表示部２１に文字列が表示された後に、操作部１１により起動操作を受け付けたアプリケーションであるので、携帯電話装置１は、文字列を入力した後に、ユーザから、アプリケーションの起動を受け付けることができる。
【００７３】
また、制御部６０は、複数のアプリケーションのうち、いずれかのアプリケーションに対応する画面をＬＣＤ表示部２１に表示させ、当該画面に対応するアプリケーションが終了した後に、これら複数のアプリケーションのうち、終了したアプリケーションとは異なる他のアプリケーションに対応する画面をＬＣＤ表示部２１に表示させる。
よって、携帯電話装置１は、複数のアプリケーションの起動を、少ない操作により起動させ、これらのアプリケーションに対応する画面をＬＣＤ表示部２１に表示させることができる。
【００７４】
また、制御部６０は、文字列を利用する複数のアプリケーションのうち、第１のアプリケーションの起動操作を受け付けると、当該第１のアプリケーションを起動して、当該第１のアプリケーションに対応する画面の文字入力領域に、ＬＣＤ表示部２１に表示されている文字列を入力し、当該第１のアプリケーションが終了した後に、第２のアプリケーションを起動して、当該第２のアプリケーションに対応する画面の文字入力領域に、ＬＣＤ表示部２１に表示されている文字列を入力する。
よって、携帯電話装置１は、煩雑な操作を行わずに、複数のアプリケーションの文字入力領域への文字列の入力を行うことができる。
【００７５】
また、制御部６０は、第１のアプリケーションが終了した後に、操作部１１を介して、第２のアプリケーションの起動操作を受け付けたことに応じて、当該第２のアプリケーションを起動させ、当該第２のアプリケーションに対応する画面の文字入力領域に、ＬＣＤ表示部２１に表示されている文字列を入力する。
よって、携帯電話装置１は、第２のアプリケーションの起動が不要である場合に、ユーザからの操作部１１の操作により、第２のアプリケーションの起動を行わないようにすることができる。
【００７６】
また、制御部６０は、ＬＣＤ表示部２１に文字列が表示されている場合に、操作部１１により文字列を利用するアプリケーションの起動操作を受け付けると、当該アプリケーションに、ＬＣＤ表示部２１に表示されている文字列が対応可能か否かを判定し、対応可能である場合に当該アプリケーションを起動して、当該アプリケーションに対応する画面の文字入力領域にＬＣＤ表示部２１に表示されている文字列を入力し、対応可能でない場合に、アプリケーションを起動しないように制御する。
よって、携帯電話装置１は、ＬＣＤ表示部２１に表示されている文字列を利用しても、有効な結果が得られない場合に、アプリケーションを起動しないようにすることができる。
【００７７】
また、制御部６０は、ＬＣＤ表示部２１に文字列が表示されている場合に、操作部１１により当該文字列を利用するアプリケーションの起動操作を受け付けると、指定された一のアプリケーションを複数起動し、起動された一のアプリケーションに対応する複数の異なる画面の文字入力領域に、ＬＣＤ表示部２１に表示されている文字列をそれぞれ入力する。
よって、携帯電話装置１は、一のアプリケーションについて、ＬＣＤ表示部２１に表示されている文字列を複数回利用する場合であっても、煩雑な操作を行うことなく、当該文字列を利用することができる。
【００７８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７９】
例えば、本実施形態では、複数のアプリケーションとして、２つのアプリケーションを起動する場合について説明したが、２つのアプリケーションの起動に限らず、３つ以上のアプリケーションを起動し、これらのアプリケーションの文字入力領域にＬＣＤ表示部２１に表示されている文字列を自動的に入力させるようにしてもよい。
【００８０】
また、本実施形態では、複数のアプリケーションのそれぞれに対応する画面をＬＣＤ表示部２１に順番に表示することとしたが、これに限らず、複数のアプリケーションのそれぞれに対応する画面をＬＣＤ表示部２１の別々の画面領域に並列的に表示するようにしてもよい。
【００８１】
また、本実施形態では、操作部１１の起動操作に応じて、複数のアプリケーションが起動され、これらのアプリケーションのそれぞれに対応する画面の文字入力領域に、ＬＣＤ表示部２１に表示されている文字列を入力することとしたが、例えば、文字の入力を受け付けるアプリケーションが既に起動されており、ＬＣＤ表示部２１に文字列が表示されている状態において、制御部６０が、操作部１１の起動操作に応じて、文字の入力を受け付けるアプリケーションを更に起動し、当該アプリケーションの文字入力領域に対して、ＬＣＤ表示部２１に表示されている文字列を入力することとしてもよい。
【符号の説明】
【００８２】
１  携帯電話装置（携帯電子機器）
１１  操作部
２１  ＬＣＤ表示部
６０  制御部
【図１】
0005595831.tif 000002
【図２】
0005595831.tif 000003
【図３】
0005595831.tif 000004
【図４】
0005595831.tif 000005
【図５】
0005595831.tif 000006
【図６】
0005595831.tif 000007
【図７】
0005595831.tif 000008
【図８】
0005595831.tif 000009